Podtech/llm-jp-corpus-v4-ja_patent huggingface dataset:
(57)【要約】      （修正有）【課題】庭、空地、公園、建物内に設置し、津波発生時に避難することができる筏を提供する。【解決手段】柱及び桁を有し、外側からガルバニウム鋼板６、ネオマフォーム９、ダイライト７、ウレタンフォーム８、合板３が用いられる。床及び天井には、合板４とウレタンフォーム８が用いられる。【選択図】図１
0003177733.tif 000002
【実用新案登録請求の範囲】
【請求項１】
柱、桁及び合板を用いて形成されるとともに、外側からガルバニウム鋼板及びダイライト、その間にはネオマフォーム、その内側は、ウレタンフォーム及び合板で形成され、床、天井は合板、ウレタンフォームが設けられてなる津波レスキューＢＯＸである。
【考案の詳細な説明】
【技術分野】
【０００１】
本考案は津波被害時用に関するものです。
【背景技術】
【０００２】
平成２３年3月11日に発生した津波により、多くの犠牲が発生した。建築物が波に飲まれ、破壊され人やペットも流されてしまいました。高台に逃げるほか方法はないが、時間もない、襲来から脱出できず命や貴重品も失ってしまった。
【先行技術文献】
【特許文献】
【０００３】
【特許文献１】（非）特許文献
【考案の概要】
【考案が解決しようとする課題】
【０００４】
津波が発生し、襲来までに高台に避難するには、健常者以外の老人、幼児、障害者は時間がかかったり体力的に負担が大きい。外出していて、情報が遅れ津波の直前に知った場所など、平地に避難できる施設が近く若しくは建物に必要になる。
【課題を解決するための手段】
【０００５】
津波の高さが大きい地域においては建物避難ビルでは限界がある為、今回開発した津波レスキューＢＯＸではいかなる津波にも対応できる利点がある。
【考案の効果】
【０００６】
上述のように、本考案の津波レスキューＢＯＸは緊急救命筏として庭、住宅への増改築、公園に設置することにより、津波発生時には即座に避難することが出来る。
【図面の簡単な説明】
【０００７】
【図１】津波レスキューＢＯＸ６人乗り用の断面図である。
【考案を実施するための形態】
【０００８】
実物大を作成し、実験を行う。
【実施例】
【０００９】
実物大を作成し、利便性、耐力性能、安全性、耐火性能、浮力性能、漂流への配慮
【産業上の利用可能性】
【００１０】
上記の実験結果に基づき安全を確認し、作成する。
【符号の説明】
【００１１】
1.筏本体
２．筏の柱、桁  ３８ｍｍ×８９ｍｍ
３．合板  ｔ＝５．５
４．合板  ｔ＝９
５．斜材  ３８ｍｍ×８９ｍｍ
６．ガルバニウム鋼板  ァ０．３５
ステンレスビス  ＠５０
７．ダイライト  ｔ＝９
８．ウレタンフォーム充鎮
９．ネオマフォームＦ（又は同等なる防火性のあるクッション材）  ｔ＝３０
10.木製手すり３５φ
11．木製腰掛け
12．船舶用開き窓
13．ガルウイング開口出入口
14．アブソーバー
15．換気孔  火災ダンパー付  ７５φ〜１００φ
16．ステンレスパイプ  ２５φ
【図１】
0003177733.tif 000003
(57)【要約】      （修正有）【課題】安定して複数個を積み重ね可能な構造を有する手提げ型燃料タンクを提供する。【解決手段】手提げ型燃料タンクは、上タンク体１、下タンク体２、上タンク体上面の提げ手、排気ネジ、タンクのフタ５を含む。上タンク体上面の提げ手の両側、および下タンク体底面の互いに対応する位置に凸面２−１、２−２等が設けられ、上面および底面の中間位置にそれぞれ円形の溝２−３等が設けられる。下タンク体底面において、上タンク体上面の排気ネジおよびタンクのフタ５と互いに対応する位置に、それぞれ溝２−４、２−５が設けられる。前記下タンク体底面の円形の溝内２−３等に、提げ手と互いに対応する留め具６が設けられる。上側の燃料タンク底部の突出平面、および下側の燃料タンク上部の突出平面が接触し、下側の燃料タンクの突出した提げ手は、上側の燃料タンク底部の中間の溝内に隠れ、上側の燃料タンク底面の留め具によって、下側の燃料タンクの提げ手が留められる。【選択図】図２
0003177765.tif 000002
【実用新案登録請求の範囲】
【請求項１】
上タンク体、下タンク体、上タンク体上面の提げ手、排気ネジ、タンクのフタを含む積み重ね可能な手提げ型燃料タンクであって、上タンク体上面の提げ手の両側、および下タンク体底面の互いに対応する位置に凸面が設けられ、上面および底面の中間位置にそれぞれ円形の溝が設けられ、下タンク体底面において、上タンク体上面の排気ネジおよびタンクのフタと互いに対応する位置にそれぞれ溝が設けられる、手提げ型燃料タンク。
【請求項２】
前記下タンク体底面の円形の溝内に、提げ手と互いに対応する留め具が設けられる、請求項１に記載の積み重ね可能な手提げ型燃料タンク。
【請求項３】
前記上下タンク体に設けられる凸面が、それぞれ「Ｉ」字形および「Ｕ」字形である、請求項１に記載の積み重ね可能な手提げ型燃料タンク。
【考案の詳細な説明】
【技術分野】
【０００１】
本考案は、手提げ型燃料タンクに関する。
【背景技術】
【０００２】
現在、手提げ型燃料タンクの多くが、貯蔵の際に、または比較的大きな空間を占用する際に、積み重ねができない。あるいは、積み重ねが不安定であり、崩れ落ちやすく危険である。
【考案の概要】
【考案が解決しようとする課題】
【０００３】
本考案は、燃料タンクを保存するときの積み重ね、および積み重ね時の安定性の問題を解決する手提げ型燃料タンクを提供する。
【課題を解決するための手段】
【０００４】
本考案は、以下の技術案により実現される。積み重ね可能な手提げ型燃料タンクは、上タンク体、下タンク体、上タンク体上面の提げ手、排気ネジ、タンクのフタを含む。これの主な技術的特徴は、上タンク体上面の提げ手の両側、および下タンク体底面の互いに対応する位置に凸面が設けられ、上面および底面の中間位置にそれぞれ円形の溝が設けられる。下タンク体底面において、上タンク体上面の排気ネジおよびタンクのフタと互いに対応する位置に、それぞれ溝が設けられる。
【０００５】
前記下タンク体底面の円形の溝内に、提げ手と互いに対応する留め具が設けられる。
【０００６】
前記上下タンク体に設けられる凸面は、それぞれ「Ｉ」字形および「Ｕ」字形である。
【０００７】
本考案の上側の燃料タンク底部の突出平面、および下側の燃料タンク上部の突出平面が接触し、下側の燃料タンクの突出した提げ手は、上側の燃料タンク底部の中間の溝内に隠れる。上側の燃料タンク底面の留め具によって、下側の燃料タンクの提げ手が留められ、下側の燃料タンクにおける排気ネジの突出部分は、上側の燃料タンク底部の相応する位置の溝内に嵌まる。したがって、複数個の重ね置き、設置の安定性、効果的な固定の目的を達成する。
【図面の簡単な説明】
【０００８】
【図１】図１は、本考案の正面構造の概要図である。
【図２】図２は、本考案の裏面構造の概要図である。
【図３】図３は、２つの燃料タンクを重ね置きした使用概要図である。
【考案を実施するための形態】
【実施例】
【０００９】
図１、図２、図３に示すように、本手提げ型燃料タンクは、上タンク体１、下タンク体２、提げ手３、排気ネジ４、タンクのフタ５、留め具６からなる。上タンク体１および下タンク体２の形状は同じであり、上タンク体上面の提げ手の両側に凸面１−１、１−２が設けられ、下タンク体底面の互いに対応する位置に凸面２−１、２−２が設けられる。上タンク体上面の中間位置に円形の溝１−３が設けられ、下タンク体底面の中間位置に円形の溝２−３が相応して設けられる。下タンク体底面において、上タンク体上面の排気ネジと互いに対応する位置に溝２−４が設けられ、下タンク体底面において、上タンク体上面のタンクのフタと互いに対応する位置に溝２−５が設けられる。下タンク体底面の円形の溝２−３内に、提げ手３と互いに対応する留め具６が設けられる。設けられた凸面１−１、２−１は「Ｉ」字形であり、設けられた凸面１−２、２−２は「Ｕ」字形である。凸面は重ね置きするときの支柱であり、重ね置きの安定性を確保する。中間の溝には、提げ手が設置され、さらに提げ手の突出部位および上側の燃料タンク底面が接触し、重ね置きが不安定になるのを防止する。排気ネジ部分の溝は、排気ネジにより、燃料タンクを重ね置きするときに上下の燃料タンクの移動を限定する働きをする。燃料タンクの下タンク体の中間の溝内に留め具が設けられ、燃料タンクを重ね置きするとき、下側の燃料タンクの提げ手を嵌入させることができ、上下の燃料タンクが左右に移動するのを限定する働きをする。
【００１０】
重ね置きするとき、図３に示すように、上側の燃料タンク底部の突出平面および下側の燃料タンク上部の突出平面が接触し、下側の燃料タンクの突出した提げ手３は、上側の燃料タンク底部の中間の溝内に隠れる。上側の燃料タンク底面の留め具によって、下側の燃料タンクの提げ手が留められ、下側の燃料タンクにおける排気ネジの突出部分は、上側の燃料タンク底部の相応する位置の溝内に嵌まる。したがって、設置の安定性、効果的な固定、複数個の重ね置きの目的を達成することができる。
【図１】
0003177765.tif 000003
【図２】
0003177765.tif 000004
【図３】
0003177765.tif 000005
(57)【要約】      （修正有）【課題】保冷性に優れた素材の巾方向の一辺側長手方向に、係止部材を設けることにより衣服の襟部に着脱自在に取り付けて、首筋を冷却することができる着脱襟を提供する。【解決手段】着脱襟１は、縦８ｃｍ横３７ｃｍ程度の特殊冷却素材を使用して、着衣の襟５と重ね、クリップ挿入口２を介して左右２箇所をクリップ４で固定、取り外しが簡単にできるようにする。襟の形状は、通常の衣類の襟付け寸法より２〜３ｃｍ程度寸法を短くし、本物品が首周りに密着して人体の首周りに、保冷性に優れた特殊素材を使用した襟を重ね、嵩張らず、清涼感のある冷却襟となる。上記の特殊素材は、水分を保つ効果、蒸発速度を規制する効果を有する。この構造により、長時間の冷却効果をうみだし、係止部材による着脱が簡単なので、乾いたら取り外し、再度、水にぬらし、絞って開くだけ使用できる。【選択図】図３
0003177778.tif 000002
【実用新案登録請求の範囲】
【請求項１】
人体の首周りに装着する着脱可能な襟であって、保冷性に優れた素材の巾方向の一辺側長手方向に、着脱自在な係止部材を設けたことを特徴とする、首筋を冷却するための着脱襟。  
【考案の詳細な説明】
【技術分野】
【０００１】
本考案は、炎天下で首筋を冷却する着脱式の襟に関する。
【背景技術】
【０００２】
高温環境等で首周りを冷却させるためのタオル等が使用されている。更に首冷却具および冷却用首巻を用いた衣料が知られている。（特許文献１参照）
【先行技術文献】
【特許文献】
【０００３】
【特許文献１】実用新案登録第３１７１０２６号公報
【考案の概要】
【考案が解決しようとする課題】
【０００４】
従来の首周りに装着する冷却用品は、マフラー、タオル、ネクタイ等の大きなサイズの物であり、清涼感に欠ける等の問題があった。
【課題を解決するための手段】
【０００５】
本考案は人体の首周りに装着する着脱可能な襟であって、保冷性に優れた素材の巾方向の一辺側長手方向に、着脱自在な係止部材を設けたことを特徴とする、首筋を冷却するための着脱襟である。  
【考案の効果】
【０００６】
人体の首周りに、保冷性に優れた特殊素材を使用した着脱可能な襟を重ね、嵩張らず、清涼感のある冷却襟を提供することを課題としている。本物品で使用する、特殊素材は、水分を保つ効果、蒸発速度を規制する効果構造により、長時間の冷却効果をうみだし、係止部材による着脱が簡単なので乾いたら取り外し、再度、水にぬらし、絞って開くだけで、使い方も簡単である。
【図面の簡単な説明】
【０００７】
【図１】本考案の着脱襟表側正面から見た図
【図２】図１のＡ−Ａ線断面図
【図３】着用状態を示す斜視図
【図４】本考案着脱襟を固定させる為の留め具クリップの斜視図
【図５】本考案の着脱襟が首に密着した状態を示す図
【図６】本考案のボタン式着脱襟表側正面から見た図
【図７】本考案のボタン式着脱襟裏側正面から見た図
【図８】本考案のボタン式着脱襟を示す斜視図
【図９】本考案のボタン式着脱襟が首に密着した状態を示す図
【考案を実施するための形態】
【０００８】
以下本考案を図に基づいて説明する。
【実施例】
【０００９】
図１から図５は上着の襟に装着して用いる例を示している、クリップ式着脱襟表面正面図である。この襟は、縦８ｃｍ横３７ｃｍ程度の特殊冷却素材を使用して、着衣の襟と重ね、左右２箇所をクリップで固定、取り外しが簡単にできるものである。構造としては、通常の衣類の襟付け寸法より２〜３ｃｍ程度寸法を短くし、本物品が首周りに密着するように作られている。
図２はＡ−Ａ部分の断面図である。図２はクリップ４をクリップ挿入穴２に装着するため、巾方向である長辺の一方の取り付け側を折り返し、筒状に縫い止め、３を設けたものである。
図３は衣服の襟５に本考案着脱襟１をクリップ４で装着した斜視図である。
図４はクリップ挿入穴２に、本考案着脱襟１を装着するためのクリップ４の斜視図である。
図５は本考案の着脱襟１を人が着用した衣服にクリップ４で装着し、首筋に密着した斜視図である。
図６〜図９は着衣に装着せず、首の周りに巻きつけて、着脱襟の両端において着脱自在な係止部材である釦と釦穴を設け、襟の前側で固着する着脱襟の例を示す。
図６は着脱襟の表面正面図である。
図７は着脱襟の裏面正面図である。
図８は本考案の着脱襟７のサイズ調節ボタンを留めた斜視図である。
図９は本考案の着脱襟７を人が着用した衣服の内側に装着し、首筋に密着した斜視図である。  
【産業上の利用可能性】
【００１０】
スポーツウエア業界において活用できる。    
【符号の説明】
【００１１】
１クリップ式着脱襟表面
２クリップ挿入口
３縫い目
４クリップ
５衣服襟
６首
７ボタン式着脱襟
８調節用釦  
９調節用釦穴
【図１】
0003177778.tif 000003
【図２】
0003177778.tif 000004
【図３】
0003177778.tif 000005
【図４】
0003177778.tif 000006
【図５】
0003177778.tif 000007
【図６】
0003177778.tif 000008
【図７】
0003177778.tif 000009
【図８】
0003177778.tif 000010
【図９】
0003177778.tif 000011
(57)【要約】      （修正有）【課題】複数個並べて展示した状態で視覚的違和感がなく、容易に製造でき、かつ軽量で扱いやすい商品見本を提供する。【課題の解決手段】中空直方体状の商品見本１の前面３に、商品に倣った文字、図形等の印刷表示４を設け、前面３のみが視認できるように並べて展示する。【選択図】図１
0003177772.tif 000002
【実用新案登録請求の範囲】
【請求項１】
中空直方体状の商品見本であって、その前面及び左右側面のうち少なくとも前面には、商品に倣った文字、図形等の印刷表示を施したことを特徴とする商品見本。
【請求項２】
請求項１記載の商品見本を前面のみを視認できるように複数個並べて箱詰めしたことを特徴とする商品見本。
【考案の詳細な説明】
【技術分野】
【０００１】
本考案は、複数個を並べた状態で展示する商品見本に関する。
【背景技術】
【０００２】
従来は、実際の商品を見本として展示するのが一般的である。また、実際の商品を使用しないものとしては、商品とほぼ同じ大きさを有する樹脂製容器に、商品に倣った文字や図柄がフィルムに印刷された化粧シールを巻きかけてなる構成が知られている（特許文献１）。さらに、箱詰めした商品見本として展示する場合は、プラスチックシートに印刷を施し、加熱成形することにより略実物大の立体像として、商品の容器が複数個並んだ状態を模した成形品が用いられている（特許文献２）。
【先行技術文献】
【特許文献】
【０００３】
【特許文献１】実用新案登録第３００８３２３号公報
【特許文献２】特開平９−２８８４５２号公報
【考案の概要】
【考案が解決しようとする課題】
【０００４】
このため、従来における一般的な商品見本は、実際の商品を使用しているため取り扱いにくく、特に複数個を並べて箱詰めすると重く扱いにくいという不都合を有している。また、化粧シールを巻きかけたものは、樹脂製容器と化粧シールを別途に製造しなければならず、煩雑であるとともに、構成が複雑であるという不都合を有している。さらに、プラスチックシートに印刷を施し加熱成形したものは、箱詰めの個数に対応する成形品を各別に製造しなければならず、煩雑であるという不都合を有している。本考案は、これらの不都合を解消した商品見本を提供することを目的とする。
【課題を解決するための手段】
【０００５】
この目的を達成するため、本考案の請求項１に係る商品見本は、中空直方体状の商品見本であって、その前面及び左右側面のうち少なくとも前面には、商品に倣った文字、図形等の印刷表示を施したものである。この商品見本を並べて展示した場合、前面以外の面は視覚上目立たないので、これらの面に印刷を施さなくとも視覚的違和感はない。前面に加えて左右側面にも印刷を施した場合は、複数個並べた両端に位置する商品見本の露出する側面も印刷されているので、視覚的違和感はより一層ないものである。
【０００６】
また、同じく前記目的を達成するために、本考案の請求項２に係る商品見本は、請求項１に係る商品見本を前面のみを視認できるように複数個並べて箱詰めしたものである。この場合、商品見本の露出面は前面だけとなるので、実際の商品を箱詰めした状態と同様に視認される。
【考案の効果】
【０００７】
本考案の請求項１に係る商品見本によれば、その前面及び左右側面のうち少なくとも前面に商品に倣った印刷表示を施せばよいので、商品見本を容易に製造することができ、並べて展示した状態で視覚的違和感がないという効果を奏する。
【０００８】
また、本考案の請求項２に係る商品見本によれば、前記効果に加えて、複数個を並べて箱詰めしても視覚的違和感がないことはもちろん、軽量で扱いやすいという効果を奏する。
【図面の簡単な説明】
【０００９】
【図１】単体の商品見本を示す斜視図。
【図２】単体の商品見本を複数個並べて箱詰めした状態を示す正面図。
【考案を実施するための形態】
【００１０】
以下、本考案の好適な実施形態を添付図面に基づいて説明する。はじめに、野菜ジュース飲料の商品見本に適用した場合の商品見本単体について説明する。図１に示すように、商品見本１は、紙や合成紙を中空直方体に組み立てた箱体２からなる。前記箱体２の前面３には、実際の商品に倣った文字、図形等の印刷表示４が施されており、前記前面３以外の面は何の印刷も施されていない。
【００１１】
図２は、上述した商品見本１をギフト用箱５に詰めた状態を示している。前記商品見本１は、前記ギフト用箱５内に前面３のみを視認できるように隙間なく並べられ、前記前面３以外の面はギフト用箱５の内面や他の商品見本１と接しているため視認できない。そして、この状態でギフト用の商品見本として展示されるので、実際の商品を用いた場合とほぼ同等の外観を有する。
【００１２】
なお、本考案は上述の実施形態に限定されるものではなく、例えば、商品見本１は、前面３に加え左右側面に印刷を施してもよく、この場合は箱詰めせずに複数個を並べて展示するときに好適である。また、商品見本１を自動販売機のディスプレイ内に陳列するために用いることも可能である。さらに、商品見本１は野菜ジュース等の飲料商品見本のほか、各種直方体状の商品見本に適用できる。
【符号の説明】
【００１３】
１        商品見本
２        箱体
３        前面
４        印刷表示
５        ギフト用箱
【図１】
0003177772.tif 000003
【図２】
0003177772.tif 000004
(57)【要約】      （修正有）【課題】鉄道模型用レールの上面及び側面の汚れ、錆を手作業で簡便に除去し、防錆材を簡単に塗布できるレールクリーナを提供する。【解決手段】横２０ｍｍ、縦８ｍｍ、奥行２０ｍｍのナイロン製硬質不織布１の片面に、鉄道模型用線路に合わせて、幅０．７ｍｍ深さ１．０ｍｍ長さ２０ｍｍの溝２を２本切削し、もう片面には目止め処理をして不織布を洗浄液や保護用油分が漏れないようにし、目止め処理をした面に横２０ｍｍ、縦３０ｍｍ、奥行２０ｍｍの硬質ウレタンスポンジ３を握り部分として固着させた。【選択図】図１
0003177711.tif 000002
【実用新案登録請求の範囲】
【請求項１】
合成繊維からなる硬質不織布の片面に鉄道模型レールの幅、深さに合わせた溝を切削し、もう片面には目止め処理を行ったのち握り部分となる硬質ウレタンスポンジに固着させたクリーナ。
【考案の詳細な説明】
【技術分野】
【０００１】  本考案は、鉄道模型のレールの汚れを手作業で除去、洗浄、防錆材の塗布をするために使用される鉄道模型用レールクリーナに関する。
【背景技術】
【０００２】  鉄道模型でのレールは車両の動力となるモータに電気を送る電線の役割を有しており、レールを常にきれいにしておく必要があるが、車両の走行による汚れや、レールの素材の酸化による錆などが発生して車両への給電に悪影響となっている。
従来この汚れや錆を除去するために、クリーニング装置を備えた車両を走行させたり、手作業でウエスなどを用いて拭き取っていた。
しかしクリーニング装置を備えた車両を走行させても、過度な汚れは除去できず、洗浄液を綿棒に塗布して洗浄したり、研磨紙や研磨材の塗布されたクロスなどで研磨するなどの必要があった。
また研磨紙や研磨材の塗布されたクロスを多用するとレールが変形する危険があった。
【考案の開示】
【考案が解決しようとする課題】
【０００３】  手作業でレールの汚れを除去し、防錆材を簡単に塗布できるレールクリーナを提供することを目的とした。
【課題を解決するための手段】
【０００４】  本考案においては、横２０ｍｍ、縦８ｍｍ、奥行２０ｍｍのナイロン製硬質不織布の片面に、９ｍｍゲージ鉄道模型用線路に合わせて、幅０．７ｍｍ深さ１．０ｍｍ長さ２０ｍｍの溝を２本切削し、もう片面には目止め処理をして不織布から洗浄液や防錆用油分が漏れないようにし、横２０ｍｍ、縦３０ｍｍ、奥行２０ｍｍの硬質ウレタンスポンジを握り部分として固着させた。
【考案実施の形態】
【０００５】  本考案は鉄道模型のレールの汚れを手作業で除去、洗浄、防錆材の塗布するために使用される鉄道模型用レールクリーナとして使用する。
【実施例】
【０００６】  図１及び図２において横２０ｍｍ、縦８ｍｍ、奥行２０ｍｍナイロン製硬質不織布（１）の片面に９ｍｍゲージ鉄道模型用線路に合わせて、幅０．７ｍｍ深さ１．０ｍｍ長さ２０ｍｍの溝（２）を２本切削し、横２０ｍｍ、縦３０ｍｍ、奥行２０ｍｍの硬質ウレタンスポンジ（３）を握り部分として固着させ、ナイロン製硬質不織布（１）に硬質ウレタンスポンジ（３）を固着する固着面（７）には目止め処理し、洗浄液や防錆材が漏れないようにした。
図３においてこのレールに合わせて切削した溝（２）をレール（４）に差込みレールに沿って移動させると、ナイロン製硬質不織布（１）がレールに沈み込まない硬度を有するためにレール（４）の上面、両側面の汚れを同時に拭き取ることが出来る。
通常の不織布やフエルト材はその柔らかさのためにレールに沈み込み、枕木（５）やレール土台（６）などに擦れてしまいスムースな移動が出来ない。
また、この溝（２）へ洗浄液としてイソプロピルアルコールを塗布してレール（４）に沿って移動させれば、油性の汚れも簡便に落とすことが出来る。
また、この溝（２）へ防錆材としてシリコンオイルを塗布してレール（４）に沿って移動させれば、簡単に防錆処理が出来る。
このナイロン製硬質不織布（１）は８ｍｍの厚みがあるため、洗浄液や防錆材など、液剤を拭き取り作業に使われるウエスなどよりも多く含侵させることができ、硬質ウレタンスポンジ（３）との固着面（７）に目止め処理を行っているので、洗浄液や防錆材などを塗布しても硬質ウレタンスポンジ（３）側には浸透しない。
またこの溝（２）はレールの固定に用いられる枕木（５）には接しない深さに調節されており、レール（４）に接する長さが２０ｍｍと短いので、レール（４）及びレール土台（６）によって連結された鉄道模型軌道上の直線部分やカーブ部分に関わらずスムースに移動できる。
【考案の効果】
【０００７】  本考案は前記のように、レールの汚れや錆を除去するために、クリーニング装置を備えた車両を走行させたり、手作業でウエスなどを用いて拭き取るなどの煩わしさを解決するものである。
レールに沈み込まない硬度を有する厚み８ｍｍのナイロン製硬質不織布はそのままでもレール上、また側面に付いた汚れを掻き取るにも充分な硬度である上、ほとんどの液剤を含侵することが出来るために、油汚れに対する洗浄や錆落としなどが簡便に行うことができ、防錆材の塗布も簡単である。
また本考案は金属を用いないので、レールを磨耗、損傷することなく、携帯することも充分可能な大きさであり、製作も容易であるので安価に提供することが出来る。
【図面の簡単な説明】
【図１】本考案によるレールクリーナの正面断面図。
【図２】本考案によるレールクリーナの側面図。
【図３】本考案によるレールクリーナとレール及びレール土台の正面断面図。
【符号の説明】      １．硬質ナイロン不織布
２．溝
３．硬質ウレタンスポンジ
４．鉄道模型用レール
５．鉄道模型用枕木
６．鉄道模型用レール土台
７．固着面
【図１】
0003177711.tif 000003
【図２】
0003177711.tif 000004
【図３】
0003177711.tif 000005
(57)【要約】      （修正有） 【課題】手桶上部に細孔を多数配置した円盤を設置し、浴槽から汲み上げた湯水を頭部や体に均一に流下できるようにしたシャワー付き手桶を提供する。【解決手段】桶部ａ上部に多数の細孔ｆを配置した穴あき円盤ｂを設置し、オリフィスの機能を持たせることにより一定且つ広範囲に湯水を流下することを可能とした。更に、衛生面の配慮から、円盤の材質はステンレス又はテフロン（登録商標）製とし、手桶からの取り外しを可能とするために手桶上端部３ヶ所に桶部固定用フックｃと手桶持ち手部固定用フックｄによる留め方式を採用した。【選択図】図１
0003177719.tif 000002
【実用新案登録請求の範囲】
【請求項１】
手桶の上部に複数の細孔を配置した円盤を設けたことを特徴とするシャワー付き手桶。
【請求項２】
前記円盤は手桶から取り外し可能に設けたことを特徴とする請求項１記載のシャワー付き手桶。
【請求項３】
前記円盤の周縁に固定用フックを設けたことを特徴とする請求項２記載のシャワー付き手桶。
【請求項４】
前記円盤はステンレス又はテフロン（登録商標）である請求項１ないし３のいずれか１項記載のシャワー付き手桶。
【考案の詳細な説明】
【技術分野】
【０００１】
本考案は、シャワー付き手桶に関するものである。
【背景技術】
【０００２】
従来、身体を湯水で洗い流す場合は、手桶からの流下あるいは、じょうろの口先の形状をした筒先をホースの先端に接続した湯栓からの散水により行っていたが、浴槽の湯水を効率的且つ簡便に利用することができなかった。
【０００３】
この改善策として、手桶上面部に細孔のある円盤を設置した。
【先行技術文献】
【特許文献】
【０００４】
【特許文献１】特開２００５−２７８９８４号公報
【特許文献２】特開２００４−８１２７０号公報
【特許文献３】実開平０７−００１７４８号公報
【０００５】
前記特許文献１（特開２００５−２７８９８４号公報）は、上部に開口部を持つ容器と、前記容器の上部周縁に対向する２つの軸支孔を形成し該軸支孔に軸支される枢軸を対向して形成した蓋体とからなり、該蓋体は複数の孔を形成すると共に容器内を揺動可能とし、前記容器の上縁付近に配設した当接片に当接して揺動停止することにより前記開口部の上縁付近で開口部の一部を閉塞することを特徴とする手桶であるのに対し、本考案は穴つき円盤の固定方法がクリップ式で、穴つき円盤形状を円形として桶上端部全面を覆う形状となっており、材質にテフロン（登録商標）、ステンレスを採用しており、穴つき円盤で桶部上端部を全面覆うことにより、湯水の流下時の開口部からの漏出を防ぐことができ、また、クリップ留め方式の採用により穴つき円盤にかかる湯水の重量を桶部上端部で支えるため、穴つき円盤を支えるための手にかかる力を小さくできることから握力の弱い者、例えば子どもや高齢者でも楽に使用でき、更に材質にステンレス、テフロン（登録商標）を使用することで衛生的に扱うことができるという効果がある。
【考案の概要】
【考案が解決しようとする課題】
【０００６】
解決しようとする問題点は、浴槽から湯水を汲み上げて身体を洗い流す場合、これまでの手桶では浴槽からの湯水の取水回数が多く、利便性が非常に悪いことや結果的に湯水の使用量も増加してしまっていることである。これは、浴槽から汲み上げた湯水を頭部や体に均一に流下できないことや流下量を制御できないために生じているものである。
【課題を解決するための手段】
【０００７】
本考案は、前記課題を解決するために手桶上部に細孔を多数配置した円盤を設置し、オリフィスの機能を持たせることにより一定且つ広範囲に流下することを可能とした。材質にステンレス又はテフロン（登録商標）を使用し、円盤は手桶からの取り外しを可能とするためのフック留め方式採用したことが主な特徴である。
【考案の効果】
【０００８】
本考案のシャワー付き手桶は、手桶上端部に多数の細孔を配置したことにより汲み上げた湯水を片手で身体に一定流量の湯水を均一に且つ効率的に流下させることができる。更に円盤を取り外し可能としたことから、洗浄性も向上し、材質にステンレス又はテフロン（登録商標）を使用することにより、衛生面での心配もないという利点がある。
【図面の簡単な説明】
【０００９】
【図１】本考案の実施例を示す全景斜面図である。
【図２】本手桶部の全景断面図である。
【図３】本考案穴あき円盤取り付け時の手桶分解図である。
【図４】本考案穴あき円盤の鳥瞰図、ＸＹ断面図、ＸＺ断面図、ＹＺ断面図である。
【考案を実施するための形態】
【００１０】
多数の細孔を配置した穴あき円盤には手桶持ち手部の両側面にはめ込み固定するための持ち手部固定用フックを１ヶ所と持ち手部固定用フックの位相を起点に90°、180°、270°の位置にそれぞれ円盤を手桶上端部にはめ込み固定するための桶部固定用フックを３ヶ所設けている。各フックを各位相に合わせて手桶持ち手部及び桶部上端部に挟み込むことにより，使用可能となる。前述のフックは、湯水汲み上げ、流下の際に穴あき円盤の脱落を防止するための部品である。
フック１を手桶持ち手部との間に挟み込んだ状態で握ることにより、より強固な落下防止策となる。また、穴あき円盤をステンレス又はテフロン（登録商標）製とし、これらフックを外すことにより、使用後の穴あき円盤及び手桶の洗浄性が良くなり衛生面においても向上した。
【実施例１】
【００１１】
以下、添付図面に従って実施例を説明する。
図１は、本考案の１実施例の全景斜面図，図２は全景断面図であって、多数の細孔(f)を有するステンレス又はテフロン（登録商標）製の円盤(b)を桶部(a)の上端部３ヶ所と手桶持ち手部(e)に円盤の桶部固定用フック(c)及び手桶持ち手部固定用フック(d)で固定した構造の手桶である。
【００１２】
図３は、本考案の１実施例の部品図であり、手桶と穴あき円盤の形状を個別に示したものである。穴あき円盤の細孔により、湯水を一定量且つ円盤全面から均等に流下させる機能を有している。
【００１３】
図４は、穴あき円盤の直角方向及び水平方向の切断図であり、手桶に固定する円盤，各固定用フックの形状とそれらの取り付け状態を示したものである。手桶に穴あき円盤を固定することにより片手で湯水を流下させることができるものである。
【００１４】
手桶に固定する穴あき円盤，各固定用フックの材質をステンレス又はテフロン（登録商標）製とし、脱着可能な構造とすることにより、手桶と穴あき円盤の洗浄性を高めている。
【００１５】
このような実施形態を採用したので、使用上、実効的に湯水を無駄に使用することなく、身体を洗浄できる効果がある。
【符号の説明】
【００１６】
ａ．桶部
ｂ．穴あき円盤
ｃ．桶部固定用フック
ｄ．持ち手部固定用フック
ｅ．持ち手部
ｆ．細孔
ｇ．手桶
【図１】
0003177719.tif 000003
【図２】
0003177719.tif 000004
【図３】
0003177719.tif 000005
【図４】
0003177719.tif 000006
(57)【要約】【課題】  家具や薄型テレビ等を傾けるだけで、揺れや転倒を防止するマットを、かんたん安全に粘着載置するこができる粘着性振動・衝撃吸収マット用剥離ライナーを提供する。【解決手段】  粘着性振動・衝撃吸収マット１の剥離ライナー３は、床に載置される側に粘着され、その剥離ライナー３には折り返しがあり、その端６は外周５の外側に位置し、端６を持って家具の底面の隅に操作し粘着させて、引っ張ると粘着性振動・衝撃吸収マット１が露出し床と粘着固定できる。【選択図】図１
0003177717.tif 000002
【実用新案登録請求の範囲】
【請求項１】
粘着性振動・衝撃吸収マットの剥離ライナーであって、床に載置される側に粘着され、その剥離ライナーには折り返しがあり、その端は外周の外側に位置している剥離ライナー。
【考案の詳細な説明】
【技術分野】
【０００１】本発明は、地震発生時において、タンスや食器棚などの家具や薄型テレビ等の揺れ、転倒を防止するために使用する、粘着性振動・衝撃吸収マット用剥離ライナーに関する。
【背景技術】
【０００２】図５は、粘着性振動・衝撃吸収マット用剥離ライナーの従来例を示す斜視図である。剥離ライナー９１は、粘着性振動・衝撃吸収マット９２の上面と下面に粘着され、保護対象の家具や薄型テレビ等の底面と床の載置面に粘着されるまで粘着面を保護している。
【先行技術文献】
【特許文献】
【０００３】
【特許文献１】特開平９−２８９９３１号公報
【考案の概要】
【考案が解決しようとする課題】
【０００４】粘着性振動・衝撃吸収マット９２を家具９３の底面９４に粘着させるとき、家具９３に収納している中身を取り出し、図６に示すように家具９３を倒して底面９４を露出させから剥離ライナー９１を剥がして粘着させるため、家具９３の大きさや重さに比例して、使用者の負担が大きくなりまた、ひとりではとても困難な作業となっていた。【０００５】そこで本考案は、家具や薄型テレビ等を傾けるだけで、粘着性振動・衝撃吸収マットをかんたん安全に粘着載置することができる粘着性振動・衝撃吸収マット用剥離ライナーを提供することを目的とする。
【課題を解決するための手段】
【０００６】上記目的を達成するために、本考案が採用した技術解決手段は、粘着性振動・衝撃吸収マットの剥離ライナーであって、床に載置される側に粘着され、その剥離ライナーには折り返しがあり、その端は外周の外側に位置している剥離ライナー。
【考案の効果】
【０００７】以上説明した通り、本考案に係る剥離ライナーは剥離ライナーを掴んで、粘着性振動・衝撃吸収マットの貼付け位置合わせを行うことができ、家具に粘着させた後、そのまま剥離ライナー引っ張ると、粘着性振動・衝撃吸収マットから剥離し、床に粘着する。よって、家具に収納している中身を取り出し、家具を倒して底面を露出さて貼付けをすることなく、家具を傾けるだけで貼付けができ、また剥離ライナーを操作するので、傾けた家具の下に手を入れることがなく、安全で簡単に粘着性振動・衝撃吸収マットを粘着載置することができる。
【図面の簡単な説明】
【００１０】
【図１】本考案による剥離ライナーの実施例を示す斜視図
【図２】実施例による剥離ライナーを操作して家具の下に挿入する状態を示す斜視図
【図３】実施例おいて家具の底面に粘着する状態を示す斜視図
【図４】実施例による剥離ライナーを引っ張って剥離途中の状態を示す斜視図
【図５】従来の剥離ライナーを示す斜視図
【図６】従来の剥離ライナーにおいて家具の底面に粘着後に剥離させる状態を示す斜視図
【考案を実施するための形態】
【００１１】以下、本発明の実施例を図面によって説明する。
【実施例】
【００１２】図１は本考案の実施例による剥離ライナーを示す斜視図である。この剥離ライナー３はシート状で、粘着性振動・衝撃吸収マット１の床との粘着側に貼り付けて、粘着性振動・衝撃吸収マット１の外端４を超えた位置で折り返され、その端６は剥離ライナー３の外周５の外側に位置している。【００１３】粘着性振動・衝撃吸収マット１をタンスや食器棚などの家具や薄型テレビ等の揺れ、転倒を防止するために使用する際は、剥離ライナー２を剥がし図２に示しているように、家具７を傾け粘着性振動・衝撃吸収マット１を家具７の底面に挿入するための隙間を確保し、剥離ライナー３の端５を持って家具７の隅８の位置に操作する。これによって家具７の底面に手を入れないので誤って家具７が落下した際でも、手を挟まれず安全である。【００１４】図３に示しているように、傾けた家具７を下ろし粘着性振動・衝撃吸収マット１と家具７の底面を密着させて、粘着性振動・衝撃吸収マット１を家具７に粘着させる。【００１５】粘着性振動・衝撃吸収マット１と家具７の底面を完全に粘着させたら図４に示しているように、剥離ライナー３の端６を引っ張り、粘着性振動・衝撃吸収マット１を露出させて床と密着させることで、粘着性振動・衝撃吸収マット１を床に粘着させることができる。【００１６】なお、剥離ライナー３は繰り返し使用できるので、粘着性振動・衝撃吸収マット１の貼付け枚数より少ない枚数で家具７を床に粘着固定でき、とても経済的である。【００１７】
【符号の説明】
【００１８】１    粘着性振動・衝撃吸収マット
３    剥離ライナー
７    家具
【図１】
0003177717.tif 000003
【図２】
0003177717.tif 000004
【図３】
0003177717.tif 000005
【図４】
0003177717.tif 000006
【図５】
0003177717.tif 000007
【図６】
0003177717.tif 000008
(57)【要約】      （修正有）【課題】高価な樹脂モルタルの使用量を減らし、二度に分けて詰める必要がない型枠締付金物を提供する。【解決手段】本体部分の抜き勾配が０〜５／１００までで、且つ、セパレータと螺合する端部の外径がセパレータに施された螺施加工部の外径より４〜１２ｍｍだけ大きい。【選択図】図４
0003177716.tif 000002
【実用新案登録請求の範囲】
【請求項１】
型枠締付け金物であって該本体部分の抜き勾配が０〜５／１００までで且つセパレータと螺合する端部の外径が該セパレータに施された螺旋加工部の外径より４〜１２ｍｍだけ大きい鉄製の金物。
【考案の詳細な説明】
【技術分野】
【０００１】  土木建造物や一般建築物を鉄筋コンクリート造とする場合、必ず型枠を要し該型枠を所定の寸法に保持すべくセパレータの両端部には様々な型枠締付け金物が使用されている。本発明は型枠締付け金物の中の特に通称、木コン、鉄コン、Ｐコンなどと称されている型枠を内側から即ち配筋した側から締付ける金物に関する。
【背景技術】
【０００２】  上述の締付け金物のうち木コンや鉄コンは近年ほとんど使用されていない。その理由は木コンにおいては主として耐久性、鉄コンにおいては主として重量による作業性にそれぞれ問題があったからである。即ち近年はＰコンと称される外殻が硬質プラスチックでできていてその内部にセパレータや通称ホンタイと称せられる外部締付け金物と螺合する鉄製の螺旋加工部材を取り付けたものが耐久性及び重量の問題を解決して主流となっている。
【考案の概要】
【考案が解決しようとする課題】
【０００３】  上述の型枠締付け金物は、その種類に関係なく躯体コンクリートが固化した後に撤去され撤去により躯体コンクリート外面に生じる空孔は樹脂モルタルを詰めて防水、防錆処理される。
該撤去を容易にする目的でこれらの型枠締付け金物は外面に向かって拡がる少なからぬ抜き勾配を有しており、その結果前述の空孔の容積も大きく、高価な樹脂モルタルを大量に使用している。また外面部の孔径が大きいことで樹脂モルタルを一度で詰めるとダレて流れ出てしまうため一度目の固化を待って二度に分けて詰めるという煩雑な作業を強いられている。
以上の問題は、鉄筋のかぶりが大きくなればなるほど即ちこれに伴って深くなる空孔の深さが深くなるほど顕著である。
【課題を解決するための手段】
【０００４】  本考案者は鋭意研究した結果、撤去後の空孔の容積が極めて小さい、したがって高価な樹脂モルタルの使用量を減らし、かつ上述のように二度に分けて詰める必要のないＰコンに代わる型枠締付け金物を開発することに成功した。【０００５】  本考案者は上述の二つの課題を解決するべく、近年ほとんど使われなくなった鉄コンに再度注目し度重なる思考と実験を繰り返した結果、型枠締付け金物の抜き勾配に関する従来の概念に誤りのあることを見出した。即ち実験の結果、該抜き勾配は極めて小さくてもあるいは全くなくても該型枠締付け金物の形状が外圧や外力によって変形さえしなければ容易に撤去できるということを見出したのである。本考案者はこの観点において鉄コンに注目した。【０００６】  以下、本考案による型枠締付け金物を図に従い、詳しく説明する。
図１（ａ）は本体部において若干の抜き勾配；θを有する場合の本考案による型枠締付け金物の軸方向断面図である。ここで符号１は本体部分、符号２はセパレータの端部螺旋加工部と螺合する部分、符号３は型枠の内側と接する部分であり、前述の外部締付け金物であるホンタイを締め込んだときに、その圧力で型枠が凹まないように面圧を小さくするために鍔状になっている。符号４はコンクリートが固化した後、該金物を螺脱撤去するための六角ナット加工部である。符号５は上述ホンタイと螺合する部分である。図１（ｂ）は同じく（ａ）の正面図である。
図２（ｃ）は図１（ａ）における抜き勾配がない場合の本考案による型枠締付け金物の軸方向断面図である。図２（ｄ）は同じく（ｃ）の正面図である。
図３（ｅ）は符号５のような雄螺旋加工部はなく、通称軸足と称する別途の螺旋を使用する場合の本体部おいて若干の抜き勾配；θを有する本考案による型枠締付け金物の軸方向断面図である。ここで符号６は、上述の軸足と螺合する部分である。符号７はコンクリートが固化した後、該金物を螺脱撤去するためのピン穴加工部である。図３（ｆ）は同じく（ｅ）の正面図である。
図４（ｇ）は図３（ｅ）における抜き勾配がない場合の本考案による型枠締付け金物の軸方向断面図である。図４（ｈ）は同じく（ｇ）の正面図である。
【考案の効果】
【０００７】  上述のごとくに加工されたＰコンに代わる本考案による型枠締付け金物を使用すれば該金物撤去後の空孔の容積を１／２〜１／３に減じることができるので防水、防錆処理のために使用される高価な樹脂モルタルの費用を大幅に削減することができる。また該金物の本体部の外径は抜き勾配を含めても該金物の螺旋加工部の径より若干大きい程度でＰコンに比べて極めて細いので空孔に詰める樹脂モルタルのダレがなく、一度の注入で防水、防錆処理が完了する。
また製品の重量においては、従来の鉄コンの１／３〜１／４でほぼＰコンと同じであり、持ち運びの負担が増えるということはない。
【図面の簡単な説明】
【０００８】
【図１】  抜き勾配を有する本考案による型枠締付け金物の断面図と正面図
【図２】  抜き勾配のない本考案による型枠締付け金物の断面図と正面図
【図３】  軸足用で抜き勾配を有する本考案による型枠締付け金物の断面図と正面図
【図４】  軸足用で抜き勾配のない本考案による型枠締付け金物の断面図と正面図
【考案を実施するための形態】
【０００９】  図１、図２、図３、図４の何れの場合もセパレータと螺合する螺旋部の寸法はセパレータの螺旋規格に合わせて５／１６、３／８、１／２の３種類を提供できる。また該螺旋部の深さは一般的な規格となっている１５ｍｍである。したがってセパレータの加工寸法も従来のＰコンなどと同じ方法で行えばよい。またセパレータ側の端部から符号３の鍔の型枠接触面までの長さから１５ｍｍを引いた数値がかぶりになるのも従来と同じである。これらの図のうち図３及び図４は軸足を使用する場合の型枠締付け金物であるが、この部分の螺旋径も軸足の規格に合わせて加工されており上述の３種類を提供できる。
【産業上の利用可能性】
【００１１】  本考案による鋼製の型枠締付け金物は、同じ使用規格においてＰコンと同じ重量であり、したがって持ち運びの負担は変わらないが、該金物を固化後の躯体コンクリートから撤去した後の防水、防錆処理において著しい効果を発揮する。
即ち前述のごとく高価な樹脂モルタルの使用量を大幅に削減できるだけでなく、該金物撤去後の空孔充填作業で二度手間とならない等、当該業界において大いに貢献できるものである。
【符号の説明】
【００１２】１，本体部
２，セパレータと螺合する螺旋加工部
３，型枠と接する鍔部
４，六角ナット加工部
５，ホンタイと螺合する螺旋部
６，軸足と螺合する螺旋加工部
７，螺脱用ピン穴
【図１】
0003177716.tif 000003
【図２】
0003177716.tif 000004
【図３】
0003177716.tif 000005
【図４】
0003177716.tif 000006
(57)【要約】      （修正有）【課題】正座時の足の痺れや関節の痛みを緩和するとともに、携帯が可能で、かつ、簡単に装着ができて、しかも装着が外観でわからない正座用携帯補助具を提供する。【解決手段】正座時に体重による圧迫を受ける足首前側の甲の部分及び足首後側のふくらはぎから踵の上にかけての凹み部に、弾力性のある緩衝材を取り付ける足首枕を配して、圧迫を緩和する。この足首枕は、簡単に装着し易い薄手で伸縮性のある生地を使い、足首前側の甲の部分と後側の凹み部に弾力性のある緩衝材を取り付け、両側面は何も施さず生地のままとする。【選択図】図１
0003177713.tif 000002
【実用新案登録請求の範囲】
【請求項１】
正座時に体重による圧迫を受ける足首の保護のため、簡単に装着し易い薄手で伸縮性のある生地に、弾力性のある緩衝材を取り付けることを特徴とする足首枕。
【考案の詳細な説明】
【技術分野】
【０００１】  本考案は、正座時における足首等の痺れや関節痛を防止するための足首枕に関するものである。
【技術背景】
【０００２】  正座による足首等の痺れや関節痛に対応するため、座椅子、座布団、クッション、足首サポーター、足首保護具等が考案されていた。
【先行技術文献】
【特許文献】
【０００３】
【特許文献１】  実用新案公開平６−６６４０２
【特許文献２】  公開特許２００２−２４２０１１
【特許文献３】  公開特許２００９−５７６５１
【考案の概要】
【考案が解決しようとする課題】
【０００４】  正座時においては、体重による圧迫を受ける足首等の血流が悪くなり、足の痺れや関節の痛みの原因となる。それを緩和するとともに、携帯が可能で、かつ、簡単に装着ができて、しかも装着が外観でわからない正座用携帯補助具を提供する。
【課題を解決するための手段】
【０００５】  本考案は、正座時に体重による圧迫を受ける足首前側の甲の部分及び足首後側のふくらはぎから踵の上にかけての凹み部に、弾力性のある緩衝材を取り付ける足首枕を提供し、圧迫を緩和するものである。
この足首枕は、簡単に装着し易い薄手で伸縮性のある生地を使い、足首前側の甲の部分と後側の凹み部に弾力性のある緩衝材を取り付け、両側面は何も施さず生地のままとし足裏部には何も無いため、折りたたみが楽で携帯性に優れ、簡単に装着し易く、かつ、装着しても外観からはわからず、課題は解決する。
【考案の効果】
【０００６】  本考案の足首枕は、正座による足首等の血流の悪化を緩和するもので、従来のサポーターなど締め付け補助具ではないので、冠婚葬祭など長時間の正座にも対応できる。また、従来の空気袋を使用するものではないので、装着時等における空気の出し入れも必要なく、この足首枕を携帯していれば、必要な場所で人目にふれず簡単に装着が可能で、長時間の正座にも容易に対応できる。
【図面の簡単な説明】
【０００７】
【図１】  正座時に足首枕を装着する位置とその緩衝材を施す場所を示す側面図である。
【図２】  足首枕の緩衝材を施す足首後側凹み部と前側甲部の側面図及び足首枕の平面展開図である。
【図３】  足首枕の側面図及び装着時の足首後側凹み部と足首前側甲部の正面図である。
【考案を実施するための形態】
【０００８】  この足首枕は、簡単に装着し易い薄手で伸縮性のある生地を使い、足首後側の凹み部と前側甲部に弾力性のある緩衝材を取り付け、両側面には何も施さず生地のままとし、携帯性をもたせる。足首の太さ等に個人差があるので男性用、女性用ともに大中小のサイズ別にするとともに、オーダーもできるようにすることで、マイ足首枕も可能とし、男女共にズボン、ロングスカート、和服等いずれにも適応できる。
【実施例】
【０００９】  以下、添付図面に従って説明する。本足首枕は簡単に装着し易い薄手で伸縮性のある生地を使い、その生地に弾力性のある緩衝材を取り付けるものであり、図面Ａ、Ｂ、Ｃの各緩衝材の寸法は、それぞれ縦・横ともに５センチメートルから１０センチメートル、厚さ５ミリメートルから１５ミリメートル程度とし、足首の形に沿って緩衝材を取り付け、Ｄ、Ｅは何も施さない生地だけの部分である。
【図１】
0003177713.tif 000003
【図２】
0003177713.tif 000004
【図３】
0003177713.tif 000005
(57)【要約】      （修正有）【課題】焙煎時、豆から剥がれる薄皮の処理を安全容易に処理すると同時に、短時間で焙煎を繰り返すことができる家庭用コーヒー焙煎器を提供する。【解決手段】生豆を入れたドラムを回転させ、空洞のドラム回転軸１２ａの中を、ドラム内の熱気と剥がれた薄皮が、五徳内の炎から離れたところに、筒先薄皮吹き出し口１３より吹き出るように構成する。またドラムの蓋部分に空気吸い込み穴１４を設けて外気を吸い込み、円筒型をしたドラム内の豆撹拌時の熱気と共に薄皮を吹き出し易くする。【選択図】図２
0003177712.tif 000002
【実用新案登録請求の範囲】
【請求項１】
本体左右に、ドラム回転軸のついた円筒型ドラム、内部に巾の異なるドラム内豆攪拌板を取り付け、一方４ドラム開閉蓋と１２ｂドラム回転軸を一体化し、五徳支柱上部回転軸を通す穴に通し、回転させるのを特徴とする家庭用コーヒー焙煎器。
【請求項２】
前記、左右の五徳支柱上部開閉部分を設けたのを特徴とする請求項１記載の家庭用コーヒー焙煎器。
【請求項３】
前記ドラムと一体化したドラム回転軸１２ａに筒先薄皮吹き出し口（１３）を設けたのを特徴とする請求項１記載の家庭用コーヒー焙煎器。
【考案の詳細な説明】
【技術分野】
【０００１】この考案は家庭用ガス台五徳枠に沿って置き、手回し回転により短時間で生豆を煎ることが出来る焙煎器である。
【背景技術】
【０００２】電気で回転させながらガス台上に置いて焙煎する器具は、焙煎する数量も多くて２００グラム前後であり、一度焙煎後は器具が冷めるまでの時間を必要とした。又網かごのようなものもある。
【考案の概要】
【考案が解決しようとする課題】
【０００３】焙煎中、高温になるとコーヒー豆からはがれた薄皮が、焙煎する器の隙間からもれ炎がつき、薄皮の大小に関係なく上部の換気扇近くに舞い上がる。
【課題を解決するための手段】
【０００４】生豆を入れた１、ドラムを回転させ、空洞のドラム回転軸１２ａのなかを、ドラム内の熱気とはがれた薄皮が１３、筒先薄皮吹き出し口より、五徳内の炎から離れたところに噴き出る仕組み。又、１４、蓋部分空気吸い込み穴があることで、ドラム内豆攪拌時の熱気と共に、筒先薄皮吹き出し口から出からでやすい。
【考案の効果】
【０００５】本考案は生豆２００グラム〜２５０グラムを、ドラム内に入れ焙煎を始め火力にもよるが、２０分前後でパチパチ音が聞こえてくる、深焼きなら１分から２分伸ばし、浅焼きなら何分手前と、好みに合わせることができる。煎りあがったら器具を冷やすことなく２回目、３回目と次次焙煎に移れる。繰り返し種類を変え、数量を変えて焙煎することで焼き具合、挽き具合好みのブレンドを楽しむことが出来る。
【図面の簡単な説明】
【０００６】
【図１】家庭用コーヒー焙煎器正面図。
【図２】ドラム斜図。
【図３】五徳支柱上部開閉部分側面図。
【図４】ガス台上の五徳外側にセットした焙煎器平面図。
【考案を実施するための形態】
【０００７】本体である１、ドラムは円筒であり、ドラム内には豆を攪拌する目的で、巾の異なる板１０ａ、１０ｂを２枚、その３分の２の広さ１１ａ、１１ｂ２枚を取り付ける。
【０００８】ドラムの片方に中が空洞の１２ａ、ドラム回転軸をドラム本体と一体し、反対側は中身出し入れ口として蓋、開閉型とする。又４、ドラム開閉蓋の一部分に１５ｂドラム開閉凹部分を設け、１５ａドラム開閉凸部分と合わせて蓋を閉じることで１２ｂ、ドラム回転軸と一体となりドラムを回転することができる。
【０００９】蓋の小さい穴は１４、蓋部分空気吸い込み穴で、ドラム内の熱気が反対側の１２ａを通りドラムの外１３から排出される。又１２ａの長さを調節出来る。
【００１０】ドラム本体を２、五徳で支える。左右に３ａ３ｂ五徳支柱を立て支柱の上部分、図３が蝶つがいを使用することで開閉し、ドラムを持ち上げることで取り外しを容易にする。五徳支柱  上部開閉部分中心の９ａ、９ｂ回転軸を通す穴は、蝶つがいによって上下に開閉される。
【００１１】開いている五徳支柱の上部９ａ、９ｂの上にドラム回転軸を乗せ、上部を合わせ７ａ７ｂ五徳支柱上部開閉金具で留め、６  回転軸持ち手をまわしドラムを回転させる。
留め金具は高温になるためカンヌキでも容易である。
【００１２】図４は家庭用ガス台を囲むように五徳を円形にし、五徳の安定を図る。
【産業上の利用可能性】
【００１３】家庭用焙煎器として安価で製造出来る。
【符号の説明】
【００１４】１  ドラム（生豆入れ）。
２  五徳（ガス台の五徳外側にセット）。
３ａ  ３ｂ  五徳支柱。
４  ドラム開閉蓋。
５  ドラム蓋部分回転軸取り付け部分。
６  回転軸持ち手。
７ａ  ７ｂ  五徳支柱上部開閉金具。
８ａ  ８ｂ  五徳支柱上部開閉部分。
９ａ  ９ｂ  回転軸を通す穴。
１０ａ、１０ｂ  ドラム内豆攪拌板４センチ巾。
１１ａ、１１ｂ  ドラム内豆攪拌板３センチ巾。
１２ａ、１２ｂ  ドラム回転軸。
１３  筒先薄皮吹き出し口。
１４  蓋部分空気吸い込み穴。
１５ａ  ドラム開閉凸部分。
１５ｂ  蓋開閉凹部分。
１６  ガス台五徳。
１７、蝶つがい。
【図１】
0003177712.tif 000003
【図２】
0003177712.tif 000004
【図３】
0003177712.tif 000005
【図４】
0003177712.tif 000006